(57)【特許請求の範囲】
【請求項１】
底壁とこの底壁の両側より立設された左右の側壁と前記底壁の略中央より立設された仕切壁とを有するプロテクタ本体と、このプロテクタ本体の前記側壁の先端間を被うカバーとを有し、前記プロテクタ本体と前記カバーとの内部に前記仕切壁で仕切られた２つのワイヤーハーネス貫通路が形成されるワイヤーハーネス用プロテクタにおいて、
前記仕切壁の先端に前記カバーの垂直方向の壁に当接される当接部を設ける一方、前記カバーは、前記２つのワイヤーハーネス貫通路の上面開口を被う各上壁が異なる高さを有し、且つ、この２つの上壁が垂直方向の立ち上がり壁により連結され、この立ち上がり壁に前記仕切壁の先端の当接部が当接されたことを特徴とするワイヤーハーネス用プロテクタ。
【請求項２】
請求項１記載のワイヤーハーネス用プロテクタであって、
前記立ち上がり壁と前記高さの低い上壁との境部分に前記仕切壁の先端の当接部の凹部が当接されたことを特徴とするワイヤーハーネス用プロテクタ。
【発明の詳細な説明】
【０００１】
【発明の属する技術分野】
本発明は、２つのワイヤーハーネス貫通路を有するワイヤーハーネス用プロテクタに関する。
【０００２】
【従来の技術】
この種の従来のワイヤーハーネス用プロテクタとして、図６〜図８に示すものがある。図６〜図８に示すように、ワイヤーハーネス用プロテクタ１は、プロテクタ本体２と、このプロテクタ本体２にヒンジ部３を介して連結されたカバー４とから構成され、このカバー４が図６に示すプロテクタ本体２の上方開口を開放する開位置と、図７及び図８に示すプロテクタ本体２の上方開口を被う閉位置との間で開閉されるようになっている。
【０００３】
プロテクタ本体２は、底壁５と、この底壁５の左右端から立設された左右の側壁６と、底壁５の略中央より立設された仕切壁７とを有している。カバー４は、低い上壁８と高い上壁９と、これら２つの上壁８，９を連結する立ち上がり壁１０とから構成されている。
【０００４】
そして、カバー４の閉位置では、仕切壁１０によって大小２つのワイヤーハーネス貫通路１１，１２が形成され、この各ワイヤーハーネス貫通路１１，１２内に複数の電線Ｗを一体的に集束したワイヤーハーネスＷＨ１，ＷＨ２が収容されるようになっている。
【０００５】
尚、このワイヤーハーネス用プロテクタ１に関する類似技術は、実開平３−７７２１７号公報及び実開平３−１１１１２２号公報等に開示されている。
【０００６】
【発明が解決しようとする課題】
しかしながら、前記従来のワイヤーハーネス用プロテクタ１では、図７及び図８に示すように、大きなワイヤーハーネス貫通路１１に収容されたワイヤーハーネスＷＨ１が仕切壁７を矢印方向に押圧すると、図８にて仮想線で示すように、仕切壁７が単に底壁５より立設されているに過ぎないため、仕切壁７が容易に小さいワイヤーハーネス貫通路１２側に倒れるという問題があった。この仕切壁７が倒れると、小さなワイヤーハーネス貫通路１２に収容されているワイヤーハーネスＷＨ２に無用な外力が作用したり、プロテクタ本体２が変形する等の不具合が発生した。
【０００７】
そこで、本発明は、前記した課題を解決すべくなされたものであり、仕切壁の倒れを確実に防止することができるワイヤーハーネス用プロテクタを提供することを目的とする。
【０００８】
【課題を解決するための手段】
請求項１の発明は、底壁とこの底壁の両側より立設された左右の側壁と前記底壁の略中央より立設された仕切壁とを有するプロテクタ本体と、このプロテクタ本体の前記側壁の先端間を被うカバーとを有し、前記プロテクタ本体と前記カバーとの内部に前記仕切壁で仕切られた２つのワイヤーハーネス貫通路が形成されるワイヤーハーネス用プロテクタにおいて、前記仕切壁の先端に前記カバーの垂直方向の壁に当接される当接部を設ける一方、前記カバーは、前記２つのワイヤーハーネス貫通路の上面開口を被う各上壁が異なる高さを有し、且つ、この２つの上壁が垂直方向の立ち上がり壁により連結され、この立ち上がり壁に前記仕切壁の先端の当接部が当接されたことを特徴とする。
【０００９】
このワイヤーハーネス用プロテクタでは、ワイヤーハーネス貫通路に収容されたワイヤーハーネスにより仕切壁が押圧されると、仕切壁の先端の当接部がカバーの垂直方向の壁を押圧してワイヤーハーネスからの押圧力をカバーの垂直方向の壁が受け止める。特に、小さなワイヤーハーネス貫通路に収容されたワイヤーハーネスに比べて大きなワイヤーハーネス貫通路に収容されたワイヤーハーネスの方が大きな押圧力を仕切壁に及ぼす可能性が高く、大きなワイヤーハーネス貫通路に収容されたワイヤーハーネスにより仕切壁が押圧されると、仕切壁の先端の当接部がカバーの立ち上がり壁を押圧してワイヤーハーネスからの押圧力をカバーの立ち上がり壁が受け止める。
【００１２】
請求項２の発明は、請求項１記載のプロテクタであって、前記立ち上がり壁と前記高さの低い上壁との境部分に前記仕切壁の先端の当接部の凹部が当接されたことを特徴とする。
【００１３】
このワイヤーハーネス用プロテクタでは、小さなワイヤーハーネス貫通路に収容されたワイヤーハーネスに比べて大きなワイヤーハーネス貫通路に収容されたワイヤーハーネスの方が大きな押圧力を仕切壁に及ぼす可能性が高く、大きなワイヤーハーネス貫通路に収容されたワイヤーハーネスにより仕切壁が押圧されると、仕切壁の先端の当接部の凹部がカバーの立ち上がり壁と高さの低い上壁との境部分を押圧してワイヤーハーネスからの押圧力をカバーの立ち上がり壁がより確実に受け止める。
【００１４】
【発明の実施の形態】
以下、本発明の実施形態を図面に基づいて説明する。
【００１５】
図１は本発明の実施形態のカバーが開位置にあるワイヤーハーネス用プロテクタの斜視図、図２は図１とは見る方向が異なるが、同じくカバーが開位置にあるワイヤーハーネス用プロテクタの斜視図、図３はカバーが閉位置にあるワイヤーハーネス用プロテクタの斜視図、図４はカバーが閉位置にあるワイヤーハーネス用プロテクタの断面図である。
【００１６】
図１〜図４に示すように、ワイヤーハーネス用プロテクタ２０は、プロテクタ本体２１と、このプロテクタ本体２１に薄肉のヒンジ部２２を介して連結されたカバー２３とから成り、樹脂射出成形により一体的に形成されている。このプロテクタ本体２１は、底壁２４と、この底壁２４の左右端から立設された左右の側壁２５，２５と、この左右の側壁２５，２５の間で、底壁２４の略中央より立設された仕切壁２６とを有している。ヒンジ部２２が連結された反対側の側壁２５及び仕切壁２６の適所には枠状の係合部２７が設けられている。
【００１７】
カバー２３は、高さの低い上壁２８と、それより高い上壁２９と、これら２つの上壁２８，２９を連結する垂直方向の壁である立ち上がり壁３０とから構成されている。ヒンジ部２２が連結された反対側の低い上壁２８の縁部及び高い上壁２９の縁部には鉤状の係止突起（係止部）３１が設けられている。
【００１８】
そして、カバー２３は、図１及び図２に示すプロテクタ本体２１の上面開口を開放する開位置と、図３及び図４に示すプロテクタ本体２１の上面開口（左右の側壁２５，２５の間）を被う閉位置との間でヒンジ部２２を支点として開閉されるようになっている。さらに、カバー２３の閉位置では、プロテクタ本体２１とカバー２３とが互いの係合部２７と係止突起３１によってロックされるようになっている。
【００１９】
また、カバー２３の閉位置では、プロテクタ本体２１とカバー２３との内部に仕切壁２６によって大小２つのワイヤーハーネス貫通路３２，３３が形成され、この大小２つのワイヤーハーネス貫通路３２，３３に複数の電線Ｗを一体的に集束したワイヤーハーネスＷＨ１，ＷＨ２が収容されるようになっている。この２つのワイヤーハーネス貫通路３２，３３を仕切る仕切壁２６の一部の先端に、大きなワイヤーハーネス貫通路３２内に配置される当接部３４が一体突出形成されており、この当接部３４のテーパ部３４ａがカバー２３の閉位置において立ち上がり壁３０に当接されるようになっている。尚、図中符号３５はワイヤーハーネス用プロテクタ２０の取り付け部である。
【００２０】
上記構成において、図３及び図４に示すように、大きなワイヤーハーネス貫通路３２に収容されたワイヤーハーネスＷＨ１が仕切壁２６を矢印方向に押圧すると、仕切壁２６の先端の当接部３４のテーパ部３４ａがカバー２３の立ち上がり壁３０を押圧してワイヤーハーネスＷＨ１からの押圧力をカバー２３の立ち上がり壁３０が受け止める。従って、ワイヤーハーネスＷＨ１からの押圧力によって仕切壁２６が容易には倒れない。
【００２１】
ここで、小さなワイヤーハーネス貫通路３３に収容されたワイヤーハーネスＷＨ２に比べて大きなワイヤーハーネス貫通路３２に収容されたワイヤーハーネスＷＨ１の方が大きな押圧力を仕切壁２６に及ぼす可能性が高く、大きなワイヤーハーネス貫通路３２に収容されたワイヤーハーネスＷＨ１による押圧力によって仕切壁２６が横方向の小さなワイヤーハーネス貫通路３３側に倒れるのを確実に防止することができる。
【００２２】
図５は本発明の他の実施形態のカバーが閉位置にあるワイヤーハーネス用プロテクタの断面図である。
【００２３】
このワイヤーハーネス用プロテクタ２０′の２つのワイヤーハーネス貫通路３２，３３を仕切る仕切壁２６の一部の先端に、該２つのワイヤーハーネス貫通路３２，３３間に配置される当接部３４′が一体突出形成されており、この当接部３４′のＬ字状の凹部３４ｂがカバー２３の閉位置において立ち上がり壁３０と高さの低い上壁２８との境部分（コーナ部）Ｒに当接されるようになっている。尚、他の構成は前記実施形態のワイヤーハーネス用プロテクタ２０と同様であるので、同一構成部分に同一符号を付して詳細な説明は省略する。
【００２４】
上記構成において、図５に示すように、大きなワイヤーハーネス貫通路３２に収容されたワイヤーハーネスＷＨ１が仕切壁２６を矢印方向に押圧すると、仕切壁２６の先端の当接部３４′の凹部３４ｂがカバー２３の立ち上がり壁３０と高さの低い上壁２８との境部分Ｒを押圧してワイヤーハーネスＷＨ１からの押圧力をカバー２３の立ち上がり壁３０が受け止める。従って、ワイヤーハーネスＷＨ１からの押圧力によって仕切壁２６が容易には倒れない。
【００２５】
ここで、小さなワイヤーハーネス貫通路３３に収容されたワイヤーハーネスＷＨ２に比べて大きなワイヤーハーネス貫通路３２に収容されたワイヤーハーネスＷＨ１の方が大きな押圧力を仕切壁２６に及ぼす可能性が高く、大きなワイヤーハーネス貫通路３２に収容されたワイヤーハーネスＷＨ１による押圧力によって仕切壁２６が横方向の小さなワイヤーハーネス貫通路３３側及び縦方向の底壁２４側に倒れるのをより確実に防止することができる。
【００２６】
尚、前記各実施形態によれば、ワイヤーハーネス用プロテクタ２０のカバー２３は、高さの異なる上壁２８，２９を有する場合を示したが、全て同じ高さの上壁を有する場合には上壁より下方に突設する垂直壁を設け、この垂直壁に仕切壁２６の先端の当接部３４が当接するように構成しても良い。その際、間隔を開けた２枚の垂直壁を設け、この２枚の垂直壁の間に仕切壁２６の当接部３４が挿入されるように構成すれば、仕切壁の両方向の倒れを防止することができる。また、カバー２３の立ち上がり壁３０に間隔を開けて垂直壁を別途設け、垂直壁と立ち上がり壁３０との間に仕切壁２６の当接部３４を挿入するようにしても良い。
【００２８】
【発明の効果】
以上説明したように、請求項１の発明によれば、仕切壁の当接部がカバーの立ち上がり壁に当接されたので、小さなワイヤーハーネス貫通路に収容されたワイヤーハーネスに比べて大きなワイヤーハーネス貫通路に収容されたワイヤーハーネスの方が大きな押圧力を仕切壁に及ぼす可能性が高く、大きなワイヤーハーネス貫通路に収容されたワイヤーハーネスにより仕切壁が押圧されると、仕切壁の先端の当接部がカバーの立ち上がり壁を押圧してワイヤーハーネスからの押圧力をカバーの立ち上がり壁が受け止めるため、仕切壁が小さなワイヤーハーネス貫通路側に倒れるのを確実に防止することができる。
【００２９】
請求項２の発明によれば、仕切壁の当接部の凹部がカバーの立ち上がり壁と高さの低い上壁との境部分に当接されたので、小さなワイヤーハーネス貫通路に収容されたワイヤーハーネスに比べて大きなワイヤーハーネス貫通路に収容されたワイヤーハーネスの方が大きな押圧力を仕切壁に及ぼす可能性が高く、大きなワイヤーハーネス貫通路に収容されたワイヤーハーネスにより仕切壁が押圧されると、仕切壁の先端の当接部の凹部がカバーの立ち上がり壁と高さの低い上壁との境部分を押圧してワイヤーハーネスからの押圧力をカバーの立ち上がり壁が受け止めるため、仕切壁が小さなワイヤーハーネス貫通路側及び底壁側に倒れるのをより確実に防止することができる。
【図面の簡単な説明】
【図１】本発明の実施形態を示し、カバーが開位置にあるワイヤーハーネス用プロテクタの斜視図である。
【図２】本発明の実施形態を示し、図１とは見る方向が異なるが、同じくカバーが開位置にあるワイヤーハーネス用プロテクタの斜視図である。
【図３】本発明の実施形態を示し、カバーが閉位置にあるワイヤーハーネス用プロテクタの斜視図である。
【図４】本発明の実施形態を示し、カバーが閉位置にあるワイヤーハーネス用プロテクタの断面図である。
【図５】本発明の他の実施形態を示し、カバーが閉位置にあるワイヤーハーネス用プロテクタの断面図である。
【図６】従来例を示し、カバーが開位置にあるワイヤーハーネス用プロテクタの斜視図である。
【図７】従来例を示し、カバーが閉位置にあるワイヤーハーネス用プロテクタの斜視図である。
【図８】従来例を示し、カバーが閉位置にあるワイヤーハーネス用プロテクタの断面図である。
【符号の説明】
２０，２０′  ワイヤーハーネス用プロテクタ
２１  プロテクタ本体
２３  カバー
２４  底壁
２５  側壁
２６  仕切壁
２８  低い上壁
２９  高い上壁
３０  立ち上がり壁（垂直方向の壁）
３２，３３  ワイヤーハーネス貫通路
３４，３４′  当接部
３４ｂ  凹部
Ｒ  立ち上がり壁と高さの低い上壁との境部分（コーナ部）
【図１】
0003808375.tif 000002
【図２】
0003808375.tif 000003
【図３】
0003808375.tif 000004
【図４】
0003808375.tif 000005
【図５】
0003808375.tif 000006
【図６】
0003808375.tif 000007
【図７】
0003808375.tif 000008
【図８】
0003808375.tif 000009